(57)【要約】【解決手段】チャット領域に対するセキュリティ機能を活性化するデバイスが提供される。デバイスは、デバイスのディスプレイにチャット領域を表示し、前記表示されたチャット領域に複数ユーザのチャットテキストを表示する表示部、ユーザインターフェイスを通じてセキュリティ機能を活性化することを要請するセキュリティ要請信号の入力を受け、前記ユーザインターフェイスを通じて前記表示されたチャット領域内の非セキュリティ領域に対する選択信号の入力を受ける信号入力部、及び、前記表示されたチャット領域のうち前記非セキュリティ領域をセキュリティ領域と異ならせて表示するセキュリティ機能制御部を含む。
2016511462.tif 000002
【特許請求の範囲】
【請求項１】
ユーザデバイスのディスプレイにチャット領域を表示するステップ；
前記表示されたチャット領域に複数ユーザのチャットテキストを表示するステップ；
ユーザインターフェイスを通じてセキュリティ機能を活性化することを要請するセキュリティ要請信号の入力を受けるステップ；
前記ユーザインターフェイスを通じて前記表示されたチャット領域内の非セキュリティ領域に対する選択信号の入力を受けるステップ；及び、
前記表示されたチャット領域のうち前記非セキュリティ領域をセキュリティ領域と異ならせて表示するステップを含むセキュリティ機能活性化方法。
【請求項２】
前記ユーザインターフェイスを通じて前記非セキュリティ領域に対する要請が入力される場合、前記入力された要請に基づいて前記セキュリティ領域及び前記非セキュリティ領域のうち一つ以上をグラフィック的に修正するステップをさらに含む請求項１に記載のセキュリティ機能活性化方法。
【請求項３】
前記修正するステップは、
前記要請が前記非セキュリティ領域に対する移動要請である場合、前記非セキュリティ領域が第１位置から第２位置に移動されるように前記セキュリティ領域及び前記非セキュリティ領域のうち一つ以上をグラフィック的に修正し、前記要請が前記非セキュリティ領域のサイズを変更するサイズ変更要請である場合、前記非セキュリティ領域のサイズが第１サイズから第２サイズに変更されるように前記セキュリティ領域及び前記非セキュリティ領域のうち一つ以上をグラフィック的に修正し、
前記要請が前記非セキュリティ領域に対するランダム移動要請である場合、前記非セキュリティ領域が少なくとも二つ以上の位置間にランダムで移動されるように前記セキュリティ領域及び前記非セキュリティ領域のうち一つ以上をグラフィック的に修正することである請求項２に記載のセキュリティ機能活性化方法。
【請求項４】
前記非セキュリティ領域をセキュリティ領域と異ならせて表示するステップは、複数の方式のうちいずれか一つの方式に基づいて前記非セキュリティ領域をセキュリティ領域と異ならせて表示することであり、
前記複数の方式のうち第１方式は、前記セキュリティ領域と同一のサイズ及び形状を有する不透明イメージを前記ディスプレイに表示することで、前記非セキュリティ領域をセキュリティ領域と異ならせて表示する方式であり、
前記複数の方式のうち第２方式は、前記非セキュリティ領域をセキュリティ領域と異ならせて表示するステップは、前記表示されたチャット領域のうち非セキュリティ領域を除いた残りの領域であるセキュリティ領域を暗く処理することで、前記非セキュリティ領域をセキュリティ領域と異ならせて表示する方式である請求項１に記載のセキュリティ機能活性化方法。
【請求項５】
前記セキュリティ要請信号は、前記ユーザインターフェイスを通じて前記ディスプレイに表示されたセキュリティアイコンが選択される場合に生成され、前記ユーザインターフェイスを通じて前記セキュリティアイコンが再選択される場合、前記セキュリティ機能を非活性化するステップをさらに含む 請求項１に記載のセキュリティ機能活性化方法。
【請求項６】
前記セキュリティ領域は、複数のチャットテキストのそれぞれの複数の周辺領域であり、
前記ユーザインターフェイスを通じて前記複数の周辺領域のうちいずれか一つの周辺領域が選択される場合、前記選択された周辺領域を非セキュリティ領域に変更するステップをさらに含む請求項１に記載のセキュリティ機能活性化方法。
【請求項７】
セキュリティ機能活性化方法を実行するデバイスと連動して動作するアプリケーションを提供する方法において、
前記デバイスは、請求項１ないし請求項６のいずれか一つに記載された方法を実施することを特徴とするアプリケーション提供方法。
【請求項８】
デバイスにおいて、
前記デバイスのディスプレイにチャット領域を表示し、前記表示されたチャット領域に複数ユーザのチャットテキストを表示する表示部；
ユーザインターフェイスを通じてセキュリティ機能を活性化することを要請するセキュリティ要請信号の入力を受け、前記ユーザインターフェイスを通じて前記表示されたチャット領域内の非セキュリティ領域に対する選択信号の入力を受ける信号入力部；及び、
前記表示されたチャット領域のうち前記非セキュリティ領域をセキュリティ領域と異ならせて表示するセキュリティ機能制御部を含むデバイス。
【発明の詳細な説明】
【技術分野】
【０００１】
チャット領域に対するセキュリティ機能を活性化する方法及びデバイスに関する。
【背景技術】
【０００２】
ＩＭＳ（Ｉｎｓｔａｎｔ  Ｍｅｓｓａｇｅ  Ｓｅｒｖｉｃｅ）は、電子メールプログラムやウェブブラウザを別途に用いずに、送信者が送ったメッセージが受信者のデバイスの画面に即時に表されるようにするリアルタイムオンラインコミュニケーションサービスを意味する。特に、モバイルネットワークを利用してチャット、音声及びビデオ通話などを提供するサービスをＭＩＭ（Ｍｏｂｉｌｅ  Ｉｎｓｔａｎｔ  Ｍｅｓｓｅｎｇｅｒ）サービスという。
【０００３】
スマートデバイスの発展に伴い、ユーザは、場所を問わず、様々な場所でスマートデバイスを利用できるようになった。ユーザは、スマートデバイスによりネットサーフィン、動画視聴などの様々なコンテンツの提供を受けることができるようになった。さらに、ユーザは、様々なプラットホームに基づいたスマートデバイスのアプリケーションによりＭＩＭ（Ｍｏｂｉｌｅ  Ｉｎｓｔａｎｔ  Ｍｅｓｓｅｎｇｅｒ）サービス、ＳＮＳ（Ｓｏｃｉａｌ  Ｎｅｔｗｏｒｋ  Ｓｅｒｖｉｃｅ）サービスなどの提供を受け、様々な経路で他人と疏通できるようになった。
【０００４】
ユーザは、スマートデバイスを楽しんでいるときに、他人からの視線を度々感じることがある。個人の対話または感情を表す文章が他人に露出されれば、スマートデバイスユーザは、私生活が露出される気持ちを感じるようになる。従って、ユーザは、個人の対話または感情を表現する文章が他人に露出されないように、セキュリティに気を付けなければならない。
【発明の概要】
【発明が解決しようとする課題】
【０００５】
テキストが表示されるチャット領域内でセキュリティ機能を使用することで、公共の場所でメッセンジャーの対話時に対話内容を隠すことができるセキュリティ機能活性化方法及びデバイスを提供する。ディスプレイに表示されたチャット領域をユーザが表示させようとする非セキュリティ領域とユーザが隠そうとするセキュリティ領域とで区分することで、チャット領域のセキュリティへのユーザの便宜性を向上させることができるセキュリティ機能活性化方法及びデバイスを提供する。但し、本実施例が達成しようとする技術的課題は、上記のような技術的課題に限らず、また他の技術的課題が存在し得る。
【課題を解決するための手段】
【０００６】
上述した技術的課題を達成するための技術的手段として、本発明の一実施例は、ユーザデバイスのディスプレイにチャット領域を表示するステップ、表示されたチャット領域に複数ユーザのチャットテキストを表示するステップ、ユーザインターフェイスを通じてセキュリティ機能を活性化することを要請するセキュリティ要請信号の入力を受けるステップ、ユーザインターフェイスを通じて表示されたチャット領域内の非セキュリティ領域に対する選択信号の入力を受けるステップ、及び、表示されたチャット領域内で非セキュリティ領域をセキュリティ領域と異ならせて表示するステップを含むセキュリティ機能活性化方法を提供することができる。
【０００７】
本発明の他の実施例は、デバイスのディスプレイにチャット領域を表示し、表示されたチャット領域に複数ユーザのチャットテキストを表示する表示部、ユーザインターフェイスを通じてセキュリティ機能を活性化することを要請するセキュリティ要請信号の入力を受け、ユーザインターフェイスを通じて表示されたチャット領域のうち非セキュリティ領域に対する選択信号の入力を受ける信号入力部、及び、表示されたチャット領域中で非セキュリティ領域をセキュリティ領域と異ならせて表示するセキュリティ機能制御部を含むデバイスを提供することができる。
【発明の効果】
【０００８】
テキストが標示されるチャット領域内でセキュリティ機能を使用することで、公共の場所でメッセンジャーの対話時に対話内容を隠すことができるセキュリティ機能活性化方法及びデバイスを提供することができる。ディスプレイに表示されたチャット領域をユーザが表示させようとする非セキュリティ領域とユーザが隠そうとするセキュリティ領域とで区分することで、チャット領域のセキュリティへのユーザの便宜性を向上させることができるセキュリティ機能活性化方法及びデバイスを提供することができる。
【図面の簡単な説明】
【０００９】
【図１】本発明の一実施例に係るセキュリティ機能提供システムの構成図である。
【図２】本発明の一実施例に係るデバイス（２０）の構成図である。
【図３ａ】セキュリティ機能が活性化される過程の一例を説明するための図面である。
【図３ｂ】セキュリティ機能が活性化される過程の一例を説明するための図面である。
【図４ａ】非セキュリティ領域の位置移動の一例を示す図である。
【図４ｂ】非セキュリティ領域のサイズ変更の一例を示す図である。
【図５ａ】本発明の他の実施例により、セキュリティ機能の活性化過程を示す図である。
【図５ｂ】本発明の他の実施例により、セキュリティ機能の活性化過程を示す図である。
【図６】セキュリティアイコンの一例を示す図である。
【図７】本発明の一実施例に係るセキュリティ機能活性化方法の動作フローチャートである。
【発明を実施するための形態】
【００１０】
以下では、添付した図面を参照して、本発明が属する技術分野で通常の知識を持った者が容易に実施することができるように本発明の実施例を詳しく説明する。しかし、本発明は、様々な異なった形態で具現でき、ここで説明する実施例に限らない。そして、図面で本発明を明確に説明するために、説明と関係ない部分は省略し、明細書の全体を通じて類似した部分に対しては、類似した図面符号を付けた。
【００１１】
明細書の全体において、ある部分が他の部分と『連結』されているとすると、これは、『直接的に連結』されている場合だけでなく、その中間に他の素子を挟んで『電気的に連結』されている場合も含む。また、ある部分がある構成要素を『含む』とすると、これは、特に反対する記載がない限り、他の構成要素を除外するのではなく、他の構成要素をさらに含むことができることを意味する。
【００１２】
図１は、本発明の一実施例に係るセキュリティ機能提供システムの構成図である。図１を参照すると、セキュリティサービス提供システムは、チャットサーバ（１０）及びデバイス（２０）を含む。但し、このような図１のセキュリティサービス提供システムは、本発明の一実施例に過ぎないので、図１により本発明が限定解釈されるのではない。即ち、本発明の様々な実施例によれば、セキュリティサービス提供システムは、図１と異なるように構成され得る。
【００１３】
図１のセキュリティサービス提供システムの各構成要素は、一般的にネットワーク（ｎｅｔｗｏｒｋ）を通じて連結される。ネットワークは、端末及びサーバのようなそれぞれのノード相互間に情報交換が可能な連結構造を意味するもので、このようなネットワーク（ｎｅｔｗｏｒｋ）の一例には、３ＧＰＰ（３ｒｄ  Ｇｅｎｅｒａｔｉｏｎ  Ｐａｒｔｎｅｒｓｈｉｐ  Ｐｒｏｊｅｃｔ）ネットワーク、ＬＴＥ（Ｌｏｎｇ  Ｔｅｒｍ  Ｅｖｏｌｕｔｉｏｎ）ネットワーク、ＷＩＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）ネットワーク、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、ブルートゥース（Ｂｌｕｅｔｏｏｔｈ；登録商標）ネットワーク、衛星放送ネットワーク、アナログ放送ネットワーク、ＤＭＢ（Ｄｉｇｉｔａｌ  Ｍｕｌｔｉｍｅｄｉａ  Ｂｒｏａｄｃａｓｔｉｎｇ）ネットワークなどが含まれるが、これに限らない。
【００１４】
図１を参照すると、チャットサーバ（１０）と複数のデバイス（２０）とを連結する第１ネットワークと、デバイス（２２）とデバイス（２３）とを連結する第２ネットワークとは、互いに異なる類型のネットワークであり得る。例えば、第１ネットワークは、広帯域ネットワークであって、第２ネットワークは近距離ネットワークであってもよい。このとき、広帯域ネットワークの一例はＬＴＥネットワークであり、近距離ネットワークの一例はＷｉｒｅｌｅｓｓ  ＬＡＮである。
【００１５】
本発明の一実施例によれば、チャットサーバ（１０）は、複数のデバイス（２０）のいずれかからチャットデータを受信し、複数のデバイス（２０）の他のいずれかに受信されたチャットデータを転送する。このとき、チャットサーバ（１０）は、第１ネットワークを通じてチャットデータを受信し、受信されたチャットデータを転送することができる。チャットデータは、テキストまたはイメージデータの少なくともいずれか一つを含む。
【００１６】
本発明の他の実施例によれば、チャットデータは、デバイス（２２）からデバイス（２３）に直接転送されることもできる。即ち、チャットデータは、チャットサーバ（１０）を経由することなく、デバイス（２２）とデバイス（２３）とを連結する第２ネットワークを通じてデバイス（２２）とデバイス（２３）との間に直接転送されることもできる。
【００１７】
デバイス（２０）は、チャットサーバ（１０）から受信されたチャットデータをディスプレイを通じて表示する。このとき、チャットデータは、他のデバイスにより作成されたチャットデータであってもよい。また、デバイス（２０）は、ユーザインターフェイスを通じて入力されたチャットデータをチャットサーバ（１０）に転送する。このとき、チャットサーバ（１０）は、受信したチャットデータを他のデバイスに転送することができる。一般的に、チャットデータは、テキスト、イメージ及び音データなどを含むことができるが、このような例示に限らない。
【００１８】
デバイス（２０）は、ユーザインターフェイスを通じてセキュリティ要請信号が入力されれば、セキュリティ機能を活性化させる。セキュリティ機能が活性化される場合、チャット領域内のセキュリティ領域は、非セキュリティ領域と異ならせて表示される。一般的に、セキュリティ領域は、チャットデータが隠される領域を意味し、非セキュリティ領域は、チャットデータが表示される領域を意味する。セキュリティ領域は、非セキュリティ領域と比べてチャットデータに対する可読性が著しく落ちるので、他のユーザは、セキュリティ領域内にどのようなチャットデータが表示されたか確認することができなくなる。
【００１９】
デバイス（２０）は、ユーザインターフェイスから選択された任意の位置に対応する領域を非セキュリティ領域に活性化することができる。これにより、それぞれのデバイス（２０）は、チャット領域のうち、デバイス（２０）ユーザが選択した領域は非セキュリティ領域に、ユーザが選択しない領域はセキュリティ領域に活性化させることで、ユーザのチャットデータに対するセキュリティを可能にする。セキュリティ領域を活性化させる一例は、セキュリティ領域を隠すための不透明イメージをセキュリティ領域にオーバーラップさせ、非セキュリティ領域を表示するための透明イメージを非セキュリティ領域にオーバーラップさせることであり得るが、このような例に限らない。例えば、セキュリティ領域を活性化させる他の例は、セキュリティ領域の可読性を落とす透明図２０％のイメージをセキュリティ領域にオーバーラップさせ、非セキュリティ領域には透明度９０％のイメージをオーバーラップさせる。セキュリティ領域を活性化させるまた他の例は、セキュリティ領域は暗く処理し、非セキュリティ領域は相対的に明るく処理することである。
【００２０】
本発明の様々な実施例によれば、デバイス（２０）は、様々な形態のデバイスであり得る。例えば、デバイスは、ネットワークを通じて遠隔地のサーバに接続できるテレビ装置、コンピュータまたは携帯用端末であり得る。ここで、テレビ装置の一例としては、スマートテレビ、ＩＰテレビセットトップボックスなどが含まれ、コンピュータの一例としては、ウェブブラウザ（ＷＥＢ  Ｂｒｏｗｓｅｒ）が搭載されたノートパソコン、デスクトップ（ｄｅｓｋｔｏｐ）、ラップトップ（ｌａｐｔｏｐ）などが含まれ、携帯用端末の一例としては、携帯性と移動性が保障される無線通信装置であって、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ；登録商標）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォン（ｓｍａｒｔｐｈｏｎｅ）、タブレットＰＣなどのような全ての種類のハンドヘルド（Ｈａｎｄｈｅｌｄ）に基づいた無線通信装置が含まれ得る。
【００２１】
以下では、図１のセキュリティ機能提供システムに含まれたそれぞれの構成要素の動作についてより具体的に説明する。
【００２２】
図２は、本発明の一実施例に係るデバイス（２０）の構成図である。このようなデバイス（２０）は、図１に示されたデバイス（２０）のうちいずれかのデバイスを意味する。但し、図１に示されたデバイス（２０）の形態に限られるのではない。
【００２３】
図２を参照すると、デバイス（２０）は、通信部（２１）、表示部（２２）、信号入力部（２３）、セキュリティ機能制御部（２４）を含む。但し、図２に示されたデバイス（２０）は、本発明の一つの具現例に過ぎず、図２に示された構成要素に基づいて様々な変形が可能である。例えば、デバイス（２０）は、音声を出力する音声出力装置、映像を出力するディスプレイをさらに含むこともできる。
【００２４】
通信部（２１）は、ネットワークを通じて外部デバイス（未図示）のチャットデータを受信する。このとき、通信部（２１）は、チャットサーバ（１０）からチャットデータを受信することができる。一般的に、チャットデータは、テキスト、イメージデータ及び音データのうち少なくともいずれか一つを含むが、これに限らない。
【００２５】
通信部（２１）は、ネットワークを通じて連結された外部デバイス（未図示）にチャットデータを転送することもできる。一般的に、外部デバイス（未図示）は、図１に示されたデバイス（２０）のうちいずれかのデバイスであってもよいが、図１に示されたデバイス（２０）の形態に限らない。
【００２６】
通信部（２１）は、チャットサーバ（１０）からチャットデータに対する情報（例えば、識別情報または選択情報）情報を受信し、受信された情報によりチャットサーバ（１０）からチャットデータを受信することができる。即ち、チャットサーバ（１０）は、チャットデータを格納した状態で、デバイスとチャットデータに対する識別情報のみをデバイスに送信し、特定デバイスが識別情報によりチャットデータを要求する場合に、要求されたチャットデータをデバイスに転送することもできる。
【００２７】
本発明の他の実施例によれば、通信部（２１）は、チャットサーバ（１０）を経由することなく、外部デバイス（未図示）と直接的にチャットデータを送受信することもできる。
【００２８】
表示部（２２）は、チャットデータをチャット領域に表示する。このとき、チャットデータは、外部デバイス（未図示）から受信されたチャットデータまたはユーザインターフェイスを通じて入力されたチャットデータであり得る。一般的に、チャット領域は、チャットデータを表示するグラフィック領域であって、チャットアプリケーションの活性化と共にデバイス（２０）のディスプレイに表示されることができる。
【００２９】
図３ａ及び図３ｂは、セキュリティ機能が活性化される過程の一例を説明するための図である。表示部（２２）は、ディスプレイに表示されたチャット領域に複数のユーザのチャットテキストを表示する。具体的に、表示部（２２）は、ユーザインターフェイスから入力されたユーザのチャットデータをチャット領域に表示するか、外部デバイスで他のユーザにより作成されたチャットデータをチャット領域に表示することができる。
【００３０】
図３ａを通じて例示すると、表示部（２２）はデバイス（２０）のディスプレイに表示されたチャット領域（３０１）内にユーザインターフェイスから入力されたテキストである「今どこ？」（３０２）を表示するか、または、外部デバイス（未図示）により作成されたテキストである「うん、今出発したところ」（３０３）を表示することができる。このとき、テキストである「今どこ？」（３０２）、「うん、今出発したところ」（３０３）のそれぞれは、図３ａに示されたように、吹き出しの形態で表示されることができる。
【００３１】
信号入力部（２３）は、ユーザインターフェイスを通じてセキュリティ機能を活性化することを要請するセキュリティ要請信号の入力を受ける。例えば、信号入力部（２３）は、ユーザインターフェイスを通じてチャット領域またはチャット領域周辺に表示されたセキュリティアイコンが選択される場合、セキュリティアイコンの選択をセキュリティ要請信号として入力を受けることができる。他の例として、信号入力部（２３）は、ユーザインターフェイスを通じて表示されたチャットデータのうちいずれか一つが選択される場合、チャットデータの選択をセキュリティ要請信号として入力を受けることもできる。
【００３２】
信号入力部（２３）は、ユーザインターフェイスを通じて表示されたチャット領域内の非セキュリティ領域に対する選択信号の入力を受ける。例えば、信号入力部（２３）は、タッチインターフェイスを通じてチャット領域内の線または面領域に対する選択信号（例えば、クリックまたはタッチ信号）が入力された場合、線または面領域を中心に所定サイズの四角形または円形領域を非セキュリティ領域として認識することができる。他の例として、信号入力部（２３）は、タッチインターフェイスを通じてチャット領域内の四角形または円形領域の境界を描く信号が入力された場合、描かれた四角形または円形領域を非セキュリティ領域として認識することができる。
【００３３】
セキュリティ機能制御部（２４）は、表示されたチャット領域のうち非セキュリティ領域をセキュリティ領域と異ならせて表示する。このとき、セキュリティ機能制御部（２４）は、表示されたチャット領域のうち非セキュリティ領域をセキュリティ領域と異ならせて表示するための制御信号を生成し、表示部（２２）が生成された制御信号により非セキュリティ領域をセキュリティ領域と異ならせて表示することもできる。
【００３４】
表示部（２２）は、複数の方式のうちいずれの方式に基づいて表示されたチャット領域のうち非セキュリティ領域をセキュリティ領域と異ならせて表示することができる。このとき、複数の方式のうち第１方式は、セキュリティ領域と同一のサイズ及び形状を有する不透明イメージをディスプレイに表示することで、非セキュリティ領域をセキュリティ領域と異ならせて表示する方式であり得る。また、複数の方式のうち第２方式は、表示されたチャット領域のうち非セキュリティ領域を除いた残りの領域であるセキュリティ領域を暗く処理することで、非セキュリティ領域をセキュリティ領域と異ならせて表示する方式であり得る。このとき、セキュリティ機能制御部（２４）が第１方式または第２方式に基づいて表示されたチャット領域のうち非セキュリティ領域をセキュリティ領域と異ならせて表示するための制御信号を生成し、表示部（２２）は、生成された制御信号により非セキュリティ領域をセキュリティ領域と異ならせて表示することもできる。
【００３５】
図３ｂは、チャット領域内のセキュリティ領域（３０５）と非セキュリティ領域（３０４）のそれぞれの一例を示す。図３ｂを通じて例示すると、表示部（２２）は、セキュリティ機能が活性化されれば、セキュリティ機能制御部（２４）から入力された制御信号に対応してディスプレイに表示されたチャット領域のうち非セキュリティ領域（３０４）をセキュリティ領域（３０５）と異ならせて表示することができる。このために、表示部（２２）は、セキュリティ領域と同一のサイズ及び形状を有する不透明イメージをディスプレイに表示して非セキュリティ領域をセキュリティ領域と異ならせて表示することができる。このとき、不透明イメージは、チャット領域にオーバーレイされる追加的なレイヤー（ｌａｙｅｒ）イメージであり得る。
【００３６】
表示部（２２）は、非セキュリティ領域を透明イメージに、セキュリティ領域は不透明イメージに表示することもできる。また、表示部（２２）は、ユーザインターフェイスからセキュリティ要請信号が入力される場合、表示されたチャット領域のうち非セキュリティ領域を除いた残りの領域であるセキュリティ領域を暗く処理し、非セキュリティ領域をセキュリティ領域と異ならせて表示することもできる。また、表示部（２２）は、セキュリティ領域と非セキュリティ領域のそれぞれの透明度を異ならせることで、非セキュリティ領域をセキュリティ領域と異ならせて表示することもでき、非セキュリティ領域は明るい色、セキュリティ領域は暗い色で表示することもできる。
【００３７】
表示部（２２）は、ユーザインターフェイスを通じて非セキュリティ領域に対する要請が入力される場合、入力された要請に基づいてセキュリティ領域及び非セキュリティ領域のうち一つ以上をグラフィック的に修正する。このとき、要請は、非セキュリティ領域に対する所定の修正要請であってもよく、表示部（２２）は、入力された修正要請に基づいて非セキュリティ領域にアニメーション効果のようなグラフィック的効果が適用されるようにセキュリティ領域及び非セキュリティ領域のうち一つ以上をグラフィック的に修正することができる。
【００３８】
表示部（２２）は、ユーザインターフェイスを通じて非セキュリティ領域に対する移動要請が入力される場合、非セキュリティ領域が第１位置から第２位置に移動されるようにセキュリティ領域及び非セキュリティ領域のうち一つ以上をグラフィック的に修正することができる。また、表示部（２２）は、ユーザインターフェイスを通じて非セキュリティ領域に対するサイズ変更要請が入力された場合、非セキュリティ領域のサイズが第１サイズから第２サイズに変更されるようにセキュリティ領域及び非セキュリティ領域のうち一つ以上をグラフィック的に修正することもできる。また、表示部（２２）は、ユーザインターフェイスを通じて非セキュリティ領域に対するランダム移動要請である場合、非セキュリティ領域が少なくとも二つ以上の位置間にランダムで移動されるようにセキュリティ領域及び非セキュリティ領域のうち一つ以上をグラフィック的に修正することもできる。その他にも、表示部（２２）は、ユーザインターフェイスを通じて入力された非セキュリティ領域に対する所定要請のそれぞれに基づいて非セキュリティ領域の形態を四角形態から円、六角など他の形態に変形させるか、非セキュリティ領域に点滅効果を適用させるか、または、非セキュリティ領域上にステッカイメージのようなグラフィックイメージを追加的に表示させるために、セキュリティ領域及び非セキュリティ領域のうち一つ以上をグラフィック的に修正することもできる。
【００３９】
表示部（２２）は、ユーザインターフェイスを通じて非セキュリティ領域に対する移動要請が入力される場合、非セキュリティ領域を第１位置から第２位置に移動させることができる。このとき、セキュリティ機能制御部（２４）は、ユーザインターフェイスを通じて入力された移動要請により非セキュリティ領域を第１位置から第２位置に移動させるための制御信号を生成し、生成された制御信号を表示部（２２）に伝達することができる。
【００４０】
図４ａは、非セキュリティ領域の位置移動の一例を示す図である。図４ａを通じて例示すると、表示部（２２）は、ユーザインターフェイスのアイコン（４０２）により非セキュリティ領域に対する移動要請が入力された場合、非セキュリティ領域を第１位置（４０１）から第２位置（４０３）に移動させることができる。このために、表示部（２２）は、ユーザインターフェイスアイコン（４０２）により特定された第１位置（４０１）の位置情報と第２位置（４０３）の位置情報とを利用することができる。
【００４１】
図４ａに示されたように、表示部（２２）は、ユーザインターフェイスのアイコン（４０２）により非セキュリティ領域に対する選択（例えば、非セキュリティ領域を数秒間タッチまたはダブルクリック）が入力されれば、第１位置（４０１）の非セキュリティ領域を移動可能な状態に活性化する。このために、表示部（２２）は、非セキュリティ領域である第１位置（４０１）の境界を点線で表示するか、第１位置（４０１）を全体的に点滅させることのように、非セキュリティ領域が現在移動可能な状態に活性化されたことを示すグラフィック的効果を表すことができる。図４ａに示されたように、表示部（２２）は、アイコン（４０３）により第１位置（４０１）の非セキュリティ領域が第２位置（４０３）に移動される場合、第１位置（４０１）をセキュリティ領域に変更し、第２位置（４０３）を非セキュリティ領域にすることができる。図４ａに示されたように、非セキュリティ領域となった第２位置（４０３）にはテキストが表示され、セキュリティ領域となった第１位置（４０１）にはテキストが隠される。移動要請の一例は、ユーザの指先がディスプレイの第１位置（４０１）から第２位置（４０３）にドラッグされることであってもよいが、これに限らない。
【００４２】
表示部（２２）は、ユーザインターフェイスを通じて非セキュリティ領域のサイズを変更するサイズ変更要請が入力される場合、非セキュリティ領域のサイズを第１サイズから第２サイズに変更させることができる。このとき、セキュリティ機能制御部（２４）は、ユーザインターフェイスを通じて入力されたサイズ変更要請により非セキュリティ領域のサイズを第１サイズから第２サイズに変更させるための制御信号を生成し、生成された制御信号を表示部（２２）に伝達することができる。
【００４３】
図４ｂは、非セキュリティ領域のサイズ変更の一例を示す図である。ユーザは、ユーザインターフェイスであるタッチインターフェイスを通じてチャット領域に表示された非セキュリティ領域のサイズを変更させることができる。図４ｂを通じて例示すると、ユーザは、タッチインターフェイスを通じて非セキュリティ領域のサイズを第１サイズ（４０４）から第２サイズ（４０５）に変更させることができる。信号入力部（２３）は、ユーザインターフェイスを通じて非セキュリティ領域に対するサイズ変更命令の入力を受けると、入力されたサイズ変更命令に基づいて表示された非セキュリティ領域の変更されるサイズに対応する位置情報またはサイズ情報を検出することができる。
【００４４】
表示部（２２）は、検出された位置情報またはサイズ情報に対応する領域で表示された非セキュリティ領域のサイズを変更させることができる。このとき、検出された位置情報は、ｘ軸及びｙ軸位置を含む２Ｄ座標であってもよく、ｘ軸、ｙ軸及びｚ軸位置を含む３Ｄ座標であってもよい。また、サイズ情報は、非セキュリティ領域を示す所定四角形のサイズ情報であってもよい。一般的に、サイズの変更は、非セキュリティ領域に対する拡大及び縮小を含む。
【００４５】
図４ｂを通じて例示すると、表示部（２２）は、ユーザインターフェイスを通じて入力されたサイズ変更要請に対応して非セキュリティ領域のサイズを第１サイズ（４０４）から第２サイズ（４０５）に拡大させることができる。このとき、表示部（２２）は、ユーザインターフェイスを通じて非セキュリティ領域に対する選択（例えば、非セキュリティ領域を数秒間タッチまたはダブルクリック）が入力されれば、第１サイズ（４０４）の非セキュリティ領域を変更可能な状態に表示することができる。このために、表示部（２２）は、第１サイズ（４０４）の非セキュリティ領域の境界を点線で表示するか、非セキュリティ領域を全体的に点滅させるなど非セキュリティ領域が移動可能な状態であることを示すグラフィック的効果を表すことができる。
【００４６】
図４ｂに示されたように、表示部（２２）は、ユーザインターフェイスを通じて非セキュリティ領域が第１サイズ（４０４）から第２サイズ（４０５）に拡大される場合、非セキュリティ領域を第２サイズ（４０５）に活性化させる。活性化された第２サイズ（４０５）に対応するテキストは、非セキュリティ領域により表示される。非セキュリティ領域に対する変更要請は、ユーザの二つの指（例えば、ユーザの人差し指と中指）が互いに異なる方向（例えば、逆方向）に移動されることで、入力されることができるが、これに限らない。表示部（２２）は、第２サイズ（４０５）の非セキュリティ領域にテキストを表示する。
【００４７】
表示部（２２）は、ユーザインターフェイスを通じて入力されたサイズ変更要請に対応して非セキュリティ領域のサイズを第１サイズから第２サイズに縮小させることもできる。具体的に、表示部（２２）は、ユーザインターフェイスを通じて非セキュリティ領域が第１サイズから第２サイズに縮小される場合、非セキュリティ領域を縮小された第２サイズに活性化させる。活性化された第２サイズに対応するテキストは、非セキュリティ領域により表示される。このとき、非セキュリティ領域に対する変更要請は、ユーザの二つの指（例えば、ユーザの人差し指と中指）が非セキュリティ領域の中央に向かって移動されることで入力されることができるが、これに限らない。表示部（２２）は、第２サイズの非セキュリティ領域にテキストを表示する。
【００４８】
本発明の他の実施例によれば、表示部（２２）は、複数のチャットテキストのそれぞれに対応する周辺領域をセキュリティ領域で表示し、ユーザインターフェイスを通じて複数の周辺領域のうちいずれか一つの周辺領域が選択される場合、選択された周辺領域を非セキュリティ領域に変更することができる。このとき、表示部（２２）は、セキュリティ機能制御部（２４）の制御信号に対応する動作を行うことができる。
【００４９】
図５ａ及び図５ｂは、本発明の他の実施例により、セキュリティ機能の活性化過程を示す図である。表示部（２２）は、ユーザインターフェイスからセキュリティ要請信号を受信すると、ディスプレイの表示されたチャット領域のそれぞれの周辺領域にセキュリティ機能を活性化させることができる。図５ａを通じて例示すると、表示部（２２）は、チャットテキストである『今どこ？』の周辺領域（５０１）及び『うん、今出発したところ』の周辺領域（５０２）を含む複数の周辺領域をセキュリティ領域として表示することができる。このとき、複数の周辺領域のそれぞれは、図５ａに示されたようにチャットデータを含む。
【００５０】
図５ｂを通じて例示すると、表示部（２２）は、ユーザインターフェイスを通じて複数の周辺領域のうちいずれか一つの周辺領域（５０３）が選択される場合、選択された周辺領域（５０３）を非セキュリティ領域に変更することができる。このとき、いずれか一つの周辺領域（５０３）に対する選択は、ユーザのタッチまたはクリックにより行われることができる。
【００５１】
図５ａ及び図５ｂを通じて例示すると、複数の周辺領域のそれぞれは、複数の周辺領域のそれぞれに不透明イメージがオーバーレイされることでセキュリティ領域に活性化されることもでき、複数の周辺領域のそれぞれが暗く処理されるか、透明度が変更されるか、または、色が変更されることで、セキュリティ領域に活性化されることもできる。また、図５ａ及び図５ｂを通じて例示すると、複数の周辺領域のうちいずれか一つの周辺領域（５０３）は、周辺領域（５０３）にオーバーレイされた不透明イメージが消えることで、非セキュリティ領域に活性化されることもでき、周辺領域（５０３）が明るく処理されるか、透明度が変更されるか、または、色が変更されることで、非セキュリティ領域に変更されることができる。
【００５２】
表示部（２２）は、ディスプレイにセキュリティアイコンを表示することができる。信号入力部（２３）は、ユーザインターフェイスを通じてディスプレイに表示されたセキュリティアイコンが選択される場合、これをセキュリティ要請信号として入力を受けることができる。また、セキュリティ機能制御部（２４）は、ユーザインターフェイスを通じてセキュリティアイコンが再選択される場合、セキュリティ機能を非活性化させることができる。
【００５３】
図６は、セキュリティアイコンの一例を示す図である。図６を参照すると、表示部（２２）は、チャット領域またはチャット領域の周辺領域にセキュリティアイコン（６０１）を表示する。図６を参照すると、信号入力部（２３）は、ユーザインターフェイスのアイコン（６０２）を通じてディスプレイに表示されたセキュリティアイコン（６０１）が選択される場合、これをセキュリティ要請信号として入力を受けることができる。セキュリティ機能制御部（２４）は、入力されたセキュリティ要請信号に対応してチャット領域のうち非セキュリティ領域をセキュリティ領域と異ならせて表示することができる。
【００５４】
図６を参照すると、セキュリティ機能制御部（２４）は、ユーザインターフェイスのアイコン（６０２）によりセキュリティアイコンが再選択（６０１）される場合、セキュリティ機能を非活性化させることができる。表示部（２２）は、セキュリティ機能制御部（２４）の制御によりチャット領域を全て非セキュリティ領域で表示することができる。
【００５５】
図７は、本発明の一実施例に係るセキュリティ機能活性化方法の動作フローチャットである。図７に示された実施例に係るイメージ表示方法は、図２に示された実施例に係るデバイス（２０）において時系列的に処理されるステップを含む。従って、以下省略された内容であるとしても、図２に示された実施例に係るデバイス（２０）に関して以上で記述された内容は図７に示された実施例に係るセキュリティ機能活性化方法にも適用される。
【００５６】
ステップＳ７０１において、表示部（２２）は、ユーザデバイスのディスプレイにチャット領域を表示する。ステップＳ７０２において、表示部（２２）は、表示されたチャット領域に複数ユーザのチャットテキストを表示する。ステップＳ７０３において、信号入力部（２３）は、ユーザインターフェイスを通じてセキュリティ機能を活性化することを要請するセキュリティ要請信号の入力を受ける。ステップＳ７０４において、信号入力部（２３）は、ユーザインターフェイスを通じて表示されたチャット領域内の非セキュリティ領域に対する信号の入力を受ける。ステップＳ７０５において、セキュリティ機能制御部（２４）は、表示されたチャット領域のうち非セキュリティ領域をセキュリティ領域と異ならせて表示する。
【００５７】
図７には示されていないが、セキュリティ機能活性化方法は、ユーザインターフェイスを通じて非セキュリティ領域に対する移動要請が入力される場合、非セキュリティ領域を第１位置から第２位置に移動するステップをさらに含むこともできる。また、図７には示されていないが、セキュリティ機能活性化方法は、ユーザインターフェイスを通じて非セキュリティ領域のサイズを変更するサイズ変更要請が入力される場合、非セキュリティ領域のサイズを第１サイズから第２サイズに変更するステップをさらに含むこともできる。
【００５８】
図７には示されていないが、ステップＳ７０３において、信号入力部（２３）は、ユーザインターフェイスを通じてディスプレイに表示されたセキュリティアイコンが選択される場合、セキュリティアイコンの選択をセキュリティ機能を活性化することを要請するセキュリティ要請信号として入力の受けることができる。この場合、セキュリティ機能活性化方法は、ユーザインターフェイスを通じてセキュリティアイコンが再選択される場合、セキュリティ機能を非活性化するステップをさらに含むこともできる。
【００５９】
図７には示されていないが、ステップＳ７０５において、セキュリティ領域は、複数のチャットテキストのそれぞれの複数の周辺領域であり得る。この場合、セキュリティ機能活性化方法は、ユーザインターフェイスを通じて複数の周辺領域のうちいずれか一つの周辺領域が選択される場合、選択された周辺領域を非セキュリティ領域に変更するステップをさらに含むこともできる。
【００６０】
図７を通じて説明された一実施例に係るセキュリティ機能活性化方法は、コンピュータにより実行されるプログラムモジュールのようなコンピュータにより実行可能な命令語を含む記録媒体の形態でも具現されることができる。コンピュータ読み取り可能な媒体は、コンピュータによりアクセスできる任意の可用媒体であってもよく、揮発性及び非揮発性媒体、分離型及び非分離型の全てを含む。また、コンピュータ読み取り可能な媒体は、コンピュータ格納媒体及び通信媒体の全てを含むことができる。コンピュータ格納媒体は、コンピュータ読み取り可能な命令語、データ構造、プログラムモジュールまたはその他データのような情報の格納のための任意の方法または技術で具現された揮発性及び非揮発性、分離型及び非分離型媒体の全てを含む。通信媒体は、典型的にコンピュータ読み取り可能な命令語、データ構造、プログラムモジュール、または、搬送波のような変調されたデータ信号のその他データ、または、その他転送メカニズムを含み、任意の情報伝達媒体を含む。
【００６１】
本発明の一実施例は、図７を通じて説明されたセキュリティ機能活性化方法を実行するデバイス（２０）と連動して動作する所定のアプリケーションを提供する方法を提供することができる。このとき、デバイス（２０）は、セキュリティ機能活性化方法を実施することを特徴とする。
また、アプリケーションは、チャットサーバ（１０）によりデバイス（２０）に提供されることもでき、チャットサーバ（１０）と別途に構成された他のサーバによりデバイス（２０）に提供されることもでき、チャットサーバ（１０）と異なる主体によって運用される他のサーバによりデバイス（２０）に提供されることもできる。
【００６２】
前述した本発明の説明は例示のためのものであり、本願が属する技術分野の通常の知識を持った者は、本発明の技術的思想や必須の特徴を変更せずに他の具体的な形態に容易に変形が可能であるということが理解できるであろう。従って、以上で記述した実施例は全ての面で例示的なものであり、限定的ではないと理解するべきである。例えば、単一型で説明されている各構成要素は、分散して実施されることもでき、同様に分散したもので説明されている構成要素も、結合した形態で実施されることができる。
【００６３】
本発明の範囲は、前記詳細な説明よりは後述する特許請求の範囲によって示され、特許請求の範囲の意味及び範囲、そしてその均等概念から導出される全ての変更または変形された形態が本願の範囲に含まれることと解釈されなければならない。
【図１】
2016511462.tif 000003
【図２】
2016511462.tif 000004
【図３ａ】
2016511462.tif 000005
【図４ａ】
2016511462.tif 000006
【図４ｂ】
2016511462.tif 000007
【図６】
2016511462.tif 000008
【図７】
2016511462.tif 000009
【図３ｂ】
2016511462.tif 000010
【図５ａ】
2016511462.tif 000011
【図５ｂ】
2016511462.tif 000012
【国際調査報告】
2016511462.tif 000013
2016511462.tif 000014
2016511462.tif 000015
2016511462.tif 000016